(57)【要約】      （修正有）【課題】臨場感を味合うことができるフライトシュミレーション遊戯機を提供する。【解決手段】第１の支持部材４、第２の支持部材５、本体８、操縦桿１の軸に接続された半割れの筒体１Ｃの第１の半割れ端面に当接する第１のレバーを有する第１の切り替えスイッチＳＷ１、半割れの筒体の第１の半割れ端面と反対側の第２の半割れ端面に当接する第２のレバーを有する第２の切り替えスイッチＳＷ２、半割れの筒体の側面に設けられた第１の側方部材、半割れの筒体の側面に設けられ、第１の側方部材より操縦桿に近い側に位置する第２の側方部材、第１の側方部材に当接する第３のレバーを有する第３の切り替えスイッチＳＷ３、第２の側方部材に当接する第４のレバーを有する第４の切り替えスイッチＳＷ４、これら第１の支持部材、第２の支持部材、第１の切り替えスイッチ、第２の切り替えスイッチ、第３の切り替えスイッチ、第４の切り替えスイッチを用いた制御手段１００という簡易な手段により、操縦者の操作により操縦席２も前後左右に移動する。【選択図】図１
0003225574.tif 000002
【実用新案登録請求の範囲】
【請求項１】
操縦桿、操縦席、コントローラを有し、前記操縦桿、前記操縦席及び前記コントローラの前に位置し、前記コントローラの作動に連動して視界画像を表示する表示体を備えたフライトシュミレーション遊戯機であって、
操作する人が座る前記操縦席、前記操縦席の前に前記視界画像を表示する前記表示体、中立位置にある前記操縦桿を支持する第１の支持部材と、
この第１の支持部材を前記操縦席から見て、前後方向に揺動自在に支持する第２の支持部材と、
この第２の支持部材を前記操縦席から見て、左右方向に揺動自在に支持すると共に、載置面に当接する本体と、
前記本体と前記第２の支持部材に取り付けられ、第１のロッドを進退させて前記第２の支持部材を前記操縦席から見て、左右方向に移動させる第１のシリンダーと、
この第１のシリンダーの前記第１のロッドを進退させる第１の進退手段と、
前記第２の支持部材と前記第１の支持部材に取り付けられ、第２のロッドを進退させて前記第１の支持部材を前記操縦席から見て、前後方向に移動させる第２のシリンダーと、
この第２のシリンダーの前記第２のロッドを進退させる第２の進退手段と、
ハンドルに接続され、前記操縦席から見て、前後左右に移動自在に支持された軸を有する前記操縦桿と、                 
前記軸に接続された半割れの筒体と、
この半割れの筒体の第１の半割れ端面に当接する第１のレバーを有する第１の切り替えスイッチと、
前記半割れの筒体の前記第１の半割れ端面と反対側の第２の半割れ端面に当接する第２のレバーを有する第２の切り替えスイッチと、
前記半割れの筒体の側面に設けられた第１の側方部材と、
前記半割れの筒体の側面に設けられ、前記第１の側方部材より前記操縦桿のハンドルに近い側に位置する第２の側方部材と、
前記第１の側方部材に当接する第３のレバーを有する第３の切り替えスイッチと、
前記第２の側方部材に当接する第４のレバーを有する第４の切り替えスイッチと、
前記操縦桿を右側に傾けると、前記操縦桿の右側への傾きを前記第１のレバーが検出して、前記第１の切り替えスイッチにより前記第１の進退手段が前記第１のシリンダーのロッドを縮めるように移動させて、前記第１の支持部材を前記操縦席から見て、右側に傾け、前記操縦桿を左側に傾けると、前記操縦桿の左側への傾きを前記第２のレバーが検出して、前記第２の切り替えスイッチにより前記第１の進退手段が前記第１のシリンダーのロッドを伸びるように移動させて、前記第１の支持部材を前記操縦席から見て、左側に傾け、前記操縦桿を前側に傾けると、前記操縦桿の前側への傾きを前記第３のレバーが検出して、前記第３の切り替えスイッチにより前記第２の進退手段が前記第２のシリンダーのロッドを縮めるように移動させて、前記第１の支持部材を前記操縦席から見て、前側に傾け、前記操縦桿を後側に傾けると、前記操縦桿の後側への傾きを前記第４のレバーが検出して、前記第４の切り替えスイッチにより前記第２の進退手段が前記第２のシリンダーのロッドを伸びるように移動させて、前記第１の支持部材を前記操縦席から見て、後側に傾けるように作動させる制御手段とを備え、
前記第１の切り替えスイッチは、前記操縦席から見て、前記半割れの筒体の左に、前記第２の切り替えスイッチは、前記操縦席から見て、前記半割れの筒体の右に、前記第４の切り替えスイッチは、前記第３の切り替えスイッチより前記操縦席に近い側に、それぞれ位置している
ことを特徴とするフライトシュミレーション遊戯機。
【請求項２】
操縦桿、操縦席、コントローラを有し、前記操縦桿、前記操縦席及び前記コントローラの前に位置し、前記コントローラの作動に連動して視界画像を表示する表示体を備えたフライトシュミレーション遊戯機であって、
操作する人が座る前記操縦席、前記操縦席の前に前記視界画像を表示する前記表示体、中立位置にある前記操縦桿を支持する第１の支持部材と、
この第１の支持部材を前記操縦席から見て、前後方向に揺動自在に支持する第２の支持部材と、
この第２の支持部材を前記操縦席から見て、左右方向に揺動自在に支持すると共に、載置面に当接する本体と、
前記本体と前記第２の支持部材に取り付けられ、第１のロッドを進退させて前記第２の支持部材を前記操縦席から見て、左右方向に移動させる第１のシリンダーと、
この第１のシリンダーの前記第１のロッドを進退させる第１の進退手段と、
前記第２の支持部材と前記第１の支持部材に取り付けられ、第２のロッドを進退させて前記第１の支持部材を前記操縦席から見て、前後方向に移動させる第２のシリンダーと、
この第２のシリンダーの前記第２のロッドを進退させる第２の進退手段と、
ハンドルに接続され、前記操縦席から見て、前後左右に移動自在に支持された軸を有する前記操縦桿と、                 
前記軸に接続された半割れの筒体と、
この半割れの筒体の第１の半割れ端面に当接する第１のレバーを有する第１の切り替えスイッチと、
前記半割れの筒体の前記第１の半割れ端面と反対側の第２の半割れ端面に当接する第２のレバーを有する第２の切り替えスイッチと、
前記半割れの筒体の側面に設けられた第１の側方部材と、
前記半割れの筒体の側面に設けられ、前記第１の側方部材より前記操縦桿のハンドルに近い側に位置する第２の側方部材と、
前記第１の側方部材に当接する第３のレバーを有する第３の切り替えスイッチと、
前記第２の側方部材に当接する第４のレバーを有する第４の切り替えスイッチと、
前記第１の支持部材が前記操縦席から見て、右から左に回動し、前記第１の支持部材が水平位置に達したことを検出する第１の検出スイッチと、
前記第１の支持部材が前記操縦席から見て、左から右に回動し、前記第１の支持部材が水平位置に達したことを検出したことを検出する第２の検出スイッチと、
前記第１の支持部材が前記操縦席から見て、前から後に回動し、前記第１の支持部材が水平位置に達したことを検出する第３の検出スイッチと、
前記第１の支持部材が前記操縦席から見て、後から前に回動し、前記第１の支持部材が水平位置に達したことを検出したことを検出する第４検出スイッチと、
前記操縦桿を右側に傾けると、前記操縦桿の右側への傾きを前記第１のレバーが検出して、前記第１の切り替えスイッチにより前記第１の進退手段が前記第１のシリンダーのロッドを縮めるように移動させて、前記第１の支持部材を前記操縦席から見て、右側に傾け、前記操縦桿を離すと、前記操縦桿の離れを前記第１のレバーが検出して前記第１の切り替えスイッチにより前記第１の進退手段が前記第１のシリンダーのロッドを伸びるように移動させて、前記第１の支持部材を前記操縦席から見て、左側に傾け、前記第１の支持部材が水平位置に達したことを前記第１の検出スイッチが検出して、前記第１の進退手段により前記第１のシリンダーのロッドを停止させ、前記操縦桿を左側に傾けると、前記操縦桿の左側への傾きを前記第２のレバーが検出して、前記第２の切り替えスイッチにより前記第１の進退手段が前記第１のシリンダーのロッドを伸びるように移動させて、前記第１の支持部材を前記操縦席から見て、左側に傾け、前記操縦桿を離すと、前記操縦桿の離れを前記第２のレバーが検出して前記第２の切り替えスイッチにより前記第１の進退手段が前記第１のシリンダーのロッドを縮めるように移動させて、前記第１の支持部材を前記操縦席から見て、右側に傾け、前記第１の支持部材が水平位置に達したことを前記第２の検出スイッチが検出して、前記第１の進退手段により前記第１のシリンダーのロッドを停止させ、前記操縦桿を前側に傾けると、前記操縦桿の前側への傾きを前記第３のレバーが検出して、前記第３の切り替えスイッチにより前記第２の進退手段が前記第２のシリンダーのロッドを縮めるように移動させて、前記第１の支持部材を前記操縦席から見て、前側に傾け、前記操縦桿を離すと、前記操縦桿の離れを前記第３のレバーが検出して前記第３の切り替えスイッチにより前記第２の進退手段が前記第２のシリンダーのロッドを伸びるように移動させて、前記第１の支持部材を前記操縦席から見て、後側に傾け、前記第１の支持部材が水平位置に達したことを前記第３の検出スイッチが検出して、前記第２の進退手段により前記第２のシリンダーのロッドを停止させ、前記操縦桿を後側に傾けると、前記操縦桿の後側への傾きを前記第４のレバーが検出して、前記第４の切り替えスイッチにより前記第２の進退手段が前記第２のシリンダーのロッドを伸びるように移動させて、前記第１の支持部材を前記操縦席から見て、後側に傾け、前記操縦桿を離すと、前記操縦桿の離れを前記第４のレバーが検出して前記第４の切り替えスイッチにより前記第２の進退手段が前記第２のシリンダーのロッドを縮めるように移動させて、前記第１の支持部材を前記操縦席から見て、前側に傾け、前記第１の支持部材が水平位置に達したことを前記第４の検出スイッチが検出して、前記第２の進退手段により前記第２のシリンダーのロッドを停止させるように作動させる制御手段とを備え、
前記第１の切り替えスイッチは、前記操縦席から見て、前記半割れの筒体の左に、前記第２の切り替えスイッチは、前記操縦席から見て、前記半割れの筒体の右に、前記第４の切り替えスイッチは、前記第３の切り替えスイッチより前記操縦席に近い側に、それぞれ位置している
ことを特徴とするフライトシュミレーション遊戯機。
【請求項３】
第１のシリンダーのロッドの先端が操縦席から見て第２の支持部材の左右方向の回動中心から右に、
第２のシリンダーのロッドの先端が前記操縦席から見て第１の支持部材の前後方向の回動中心から前に、
それぞれ位置していることを特徴とする請求項１又は請求項２記載のフライトシュミレーション遊戯機。
【考案の詳細な説明】
【技術分野】
【０００１】
本考案は、フライトシュミレーション遊戯機に係り、特に、簡易な手段により、操縦者の操作により操縦席も前後左右に傾いて、臨場感を味合うことができるフライトシュミレーション遊戯機に関する。
【背景技術】
【０００２】
従来、映像と連動して加重力感、浮遊感、加速感等のリアル疑似体験を利用者に与えるようにした映像体験シュミレーション遊戯機がある（特許文献１参照）。
これは、水平軸を有する本体部分と、長さ方向中間部を本体部分の水平軸に軸支したアームと、このアームの一端に上下動および回動自在に取り付けられたカプセルと、このカプセル内に設けた映像装置と、上記アームの他端に設けられたカウンタウエイトと、上記本体部分に設けられアームを水平軸を中心に回動させるシリンダ装置と、上記アームに設けられカプセルを上下動および回動させるシリンダ装置と、操縦桿を備え上記シリンダ装置の作動に連動して映像装置を作動させる操縦桿を備えた制御装置とを有するものである。
【先行技術文献】
【特許文献】
【０００３】
【特許文献１】実公平７−５６０７２号公報
【考案の概要】
【考案が解決しようとする課題】
【０００４】
ところが、上記の映像体験シュミレーション遊戯機は高価で、個人が使用するのに適さない。
一方、コントローラに連動して視界画像を表示する表示体を備えたフライトシュミレーション遊戯機が市販されている。
これは、操縦席は固定のままであり、操縦席を映像と連動しようとすれば、ソフト等を新たに制作せねばならず、簡易に製造することができないという問題点が生じた。
【０００５】
本考案は、上記の問題点を考慮してなされたフライトシュミレーション遊戯機を提供することにある。
【課題を解決するための手段】
【０００６】
請求項１記載のフライトシュミレーション遊戯機は、操縦桿、操縦席、コントローラを有し、前記操縦桿、前記操縦席及び前記コントローラの前に位置し、前記コントローラの作動に連動して視界画像を表示する表示体を備えたフライトシュミレーション遊戯機であって、操作する人が座る前記操縦席、前記操縦席の前に前記視界画像を表示する前記表示体、中立位置にある前記操縦桿を支持する第１の支持部材と、この第１の支持部材を前記操縦席から見て、前後方向に揺動自在に支持する第２の支持部材と、この第２の支持部材を前記操縦席から見て、左右方向に揺動自在に支持すると共に、載置面に当接する本体と、前記本体と前記第２の支持部材に取り付けられ、第１のロッドを進退させて前記第２の支持部材を前記操縦席から見て、左右方向に移動させる第１のシリンダーと、この第１のシリンダーの前記第１のロッドを進退させる第１の進退手段と、前記第２の支持部材と前記第１の支持部材に取り付けられ、第２のロッドを進退させて前記第１の支持部材を前記操縦席から見て、前後方向に移動させる第２のシリンダーと、この第２のシリンダーの前記第２のロッドを進退させる第２の進退手段と、ハンドルに接続され、前記操縦席から見て、前後左右に移動自在に支持された軸を有する前記操縦桿と、前記軸に接続された半割れの筒体と、この半割れの筒体の第１の半割れ端面に当接する第１のレバーを有する第１の切り替えスイッチと、前記半割れの筒体の前記第１の半割れ端面と反対側の第２の半割れ端面に当接する第２のレバーを有する第２の切り替えスイッチと、前記半割れの筒体の側面に設けられた第１の側方部材と、前記半割れの筒体の側面に設けられ、前記第１の側方部材より前記操縦桿のハンドルに近い側に位置する第２の側方部材と、前記第１の側方部材に当接する第３のレバーを有する第３の切り替えスイッチと、前記第２の側方部材に当接する第４のレバーを有する第４の切り替えスイッチと、前記操縦桿を右側に傾けると、前記操縦桿の右側への傾きを前記第１のレバーが検出して、前記第１の切り替えスイッチにより前記第１の進退手段が前記第１のシリンダーのロッドを縮めるように移動させて、前記第１の支持部材を前記操縦席から見て、右側に傾け、前記操縦桿を左側に傾けると、前記操縦桿の左側への傾きを前記第２のレバーが検出して、前記第２の切り替えスイッチにより前記第１の進退手段が前記第１のシリンダーのロッドを伸びるように移動させて、前記第１の支持部材を前記操縦席から見て、左側に傾け、前記操縦桿を前側に傾けると、前記操縦桿の前側への傾きを前記第３のレバーが検出して、前記第３の切り替えスイッチにより前記第２の進退手段が前記第２のシリンダーのロッドを縮めるように移動させて、前記第１の支持部材を前記操縦席から見て、前側に傾け、前記操縦桿を後側に傾けると、前記操縦桿の後側への傾きを前記第４のレバーが検出して、前記第４の切り替えスイッチにより前記第２の進退手段が前記第２のシリンダーのロッドを伸びるように移動させて、前記第１の支持部材を前記操縦席から見て、後側に傾けるように作動させる制御手段とを備え、前記第１の切り替えスイッチは、前記操縦席から見て、前記半割れの筒体の左に、前記第２の切り替えスイッチは、前記操縦席から見て、前記半割れの筒体の右に、前記第４の切り替えスイッチは、前記第３の切り替えスイッチより前記操縦席に近い側に、それぞれ位置しているものである。
【０００７】
また、請求項２記載のフライトシュミレーション遊戯機は、操縦桿、操縦席、コントローラを有し、前記操縦桿、前記操縦席及び前記コントローラの前に位置し、前記コントローラの作動に連動して視界画像を表示する表示体を備えたフライトシュミレーション遊戯機であって、操作する人が座る前記操縦席、前記操縦席の前に前記視界画像を表示する前記表示体、中立位置にある前記操縦桿を支持する第１の支持部材と、この第１の支持部材を前記操縦席から見て、前後方向に揺動自在に支持する第２の支持部材と、この第２の支持部材を前記操縦席から見て、左右方向に揺動自在に支持すると共に、載置面に当接する本体と、前記本体と前記第２の支持部材に取り付けられ、第１のロッドを進退させて前記第２の支持部材を前記操縦席から見て、左右方向に移動させる第１のシリンダーと、この第１のシリンダーの前記第１のロッドを進退させる第１の進退手段と、前記第２の支持部材と前記第１の支持部材に取り付けられ、第２のロッドを進退させて前記第１の支持部材を前記操縦席から見て、前後方向に移動させる第２のシリンダーと、この第２のシリンダーの前記第２のロッドを進退させる第２の進退手段と、ハンドルに接続され、前記操縦席から見て、前後左右に移動自在に支持された軸を有する前記操縦桿と、前記軸に接続された半割れの筒体と、この半割れの筒体の第１の半割れ端面に当接する第１のレバーを有する第１の切り替えスイッチと、前記半割れの筒体の前記第１の半割れ端面と反対側の第２の半割れ端面に当接する第２のレバーを有する第２の切り替えスイッチと、前記半割れの筒体の側面に設けられた第１の側方部材と、前記半割れの筒体の側面に設けられ、前記第１の側方部材より前記操縦桿のハンドルに近い側に位置する第２の側方部材と、前記第１の側方部材に当接する第３のレバーを有する第３の切り替えスイッチと、前記第２の側方部材に当接する第４のレバーを有する第４の切り替えスイッチと、前記第１の支持部材が前記操縦席から見て、右から左に回動し、前記第１の支持部材が水平位置に達したことを検出する第１の検出スイッチと、前記第１の支持部材が前記操縦席から見て、左から右に回動し、前記第１の支持部材が水平位置に達したことを検出したことを検出する第２の検出スイッチと、前記第１の支持部材が前記操縦席から見て、前から後に回動し、前記第１の支持部材が水平位置に達したことを検出する第３の検出スイッチと、前記第１の支持部材が前記操縦席から見て、後から前に回動し、前記第１の支持部材が水平位置に達したことを検出したことを検出する第４検出スイッチと、前記操縦桿を右側に傾けると、前記操縦桿の右側への傾きを前記第１のレバーが検出して、前記第１の切り替えスイッチにより前記第１の進退手段が前記第１のシリンダーのロッドを縮めるように移動させて、前記第１の支持部材を前記操縦席から見て、右側に傾け、前記操縦桿を離すと、前記操縦桿の離れを前記第１のレバーが検出して前記第１の切り替えスイッチにより前記第１の進退手段が前記第１のシリンダーのロッドを伸びるように移動させて、前記第１の支持部材を前記操縦席から見て、左側に傾け、前記第１の支持部材が水平位置に達したことを前記第１の検出スイッチが検出して、前記第１の進退手段により前記第１のシリンダーのロッドを停止させ、前記操縦桿を左側に傾けると、前記操縦桿の左側への傾きを前記第２のレバーが検出して、前記第２の切り替えスイッチにより前記第１の進退手段が前記第１のシリンダーのロッドを伸びるように移動させて、前記第１の支持部材を前記操縦席から見て、左側に傾け、前記操縦桿を離すと、前記操縦桿の離れを前記第２のレバーが検出して前記第２の切り替えスイッチにより前記第１の進退手段が前記第１のシリンダーのロッドを縮めるように移動させて、前記第１の支持部材を前記操縦席から見て、右側に傾け、前記第１の支持部材が水平位置に達したことを前記第２の検出スイッチが検出して、前記第１の進退手段により前記第１のシリンダーのロッドを停止させ、前記操縦桿を前側に傾けると、前記操縦桿の前側への傾きを前記第３のレバーが検出して、前記第３の切り替えスイッチにより前記第２の進退手段が前記第２のシリンダーのロッドを縮めるように移動させて、前記第１の支持部材を前記操縦席から見て、前側に傾け、前記操縦桿を離すと、前記操縦桿の離れを前記第３のレバーが検出して前記第３の切り替えスイッチにより前記第２の進退手段が前記第２のシリンダーのロッドを伸びるように移動させて、前記第１の支持部材を前記操縦席から見て、後側に傾け、前記第１の支持部材が水平位置に達したことを前記第３の検出スイッチが検出して、前記第２の進退手段により前記第２のシリンダーのロッドを停止させ、前記操縦桿を後側に傾けると、前記操縦桿の後側への傾きを前記第４のレバーが検出して、前記第４の切り替えスイッチにより前記第２の進退手段が前記第２のシリンダーのロッドを伸びるように移動させて、前記第１の支持部材を前記操縦席から見て、後側に傾け、前記操縦桿を離すと、前記操縦桿の離れを前記第４のレバーが検出して前記第４の切り替えスイッチにより前記第２の進退手段が前記第２のシリンダーのロッドを縮めるように移動させて、前記第１の支持部材を前記操縦席から見て、前側に傾け、前記第１の支持部材が水平位置に達したことを前記第４の検出スイッチが検出して、前記第２の進退手段により前記第２のシリンダーのロッドを停止させるように作動させる制御手段とを備え、前記第１の切り替えスイッチは、前記操縦席から見て、前記半割れの筒体の左に、前記第２の切り替えスイッチは、前記操縦席から見て、前記半割れの筒体の右に、前記第４の切り替えスイッチは、前記第３の切り替えスイッチより前記操縦席に近い側に、それぞれ位置しているものである。
【０００８】
また、請求項３記載のフライトシュミレーション遊戯機は、請求項１又は請求項２記載のフライトシュミレーション遊戯機において、第１のシリンダーのロッドの先端が操縦席から見て第２の支持部材の左右方向の回動中心から右に、第２のシリンダーのロッドの先端が前記操縦席から見て第１の支持部材の前後方向の回動中心から前に、それぞれ位置しているものである。
【考案の効果】
【０００９】
請求項１記載のフライトシュミレーション遊戯機によれば、第１の支持部材、第２の支持部材、本体、操縦桿の軸に接続された半割れの筒体、この半割れの筒体の第１の半割れ端面に当接する第１のレバーを有する第１の切り替えスイッチ、前記半割れの筒体の前記第１の半割れ端面と反対側の第２の半割れ端面に当接する第２のレバーを有する第２の切り替えスイッチ、前記半割れの筒体の側面に設けられた第１の側方部材、前記半割れの筒体の側面に設けられ、前記第１の側方部材より前記操縦桿に近い側に位置する第２の側方部材、前記第１の側方部材に当接する第３のレバーを有する第３の切り替えスイッチ、前記第２の側方部材に当接する第４のレバーを有する第４の切り替えスイッチ、これら第１の支持部材、第２の支持部材、第１の切り替えスイッチ、第２の切り替えスイッチ、第３の切り替えスイッチ、第４の切り替えスイッチを用いた制御手段という簡易な手段により、操縦者の操作により操縦席も前後左右に傾くため、操縦桿の作動に連動した視界画像と相俟って臨場感を味合うことができる。
【００１０】
また、請求項２記載のフライトシュミレーション遊戯機によれば、第１の支持部材、第２の支持部材、本体、操縦桿の軸に接続された半割れの筒体、この半割れの筒体の第１の半割れ端面に当接する第１のレバーを有する第１の切り替えスイッチ、前記半割れの筒体の前記第１の半割れ端面と反対側の第２の半割れ端面に当接する第２のレバーを有する第２の切り替えスイッチ、前記半割れの筒体の側面に設けられた第１の側方部材、前記半割れの筒体の側面に設けられ、前記第１の側方部材より前記操縦桿に近い側に位置する第２の側方部材、前記第１の側方部材に当接する第３のレバーを有する第３の切り替えスイッチ、前記第２の側方部材に当接する第４のレバーを有する第４の切り替えスイッチ、前記第１の支持部材が前記操縦席から見て、右から左に回動し、前記第１の支持部材が水平位置に達したことを検出する第１の検出スイッチ、前記第１の支持部材が前記操縦席から見て、左から右に回動し、前記第１の支持部材が水平位置に達したことを検出したことを検出する第２の検出スイッチ、前記第１の支持部材が前記操縦席から見て、前から後に回動し、前記第１の支持部材が水平位置に達したことを検出する第３の検出スイッチ、前記第１の支持部材が前記操縦席から見て、後から前に回動し、前記第１の支持部材が水平位置に達したことを検出したことを検出する第４検出スイッチ、これら第１の支持部材、第２の支持部材、第１の切り替えスイッチ、第２の切り替えスイッチ、第３の切り替えスイッチ、第４の切り替えスイッチ、第１の検出スイッチ、第２の検出スイッチ、第３の検出スイッチ、第４の検出スイッチを用いた制御手段という簡易な手段により、操縦者の操作により操縦席も前後左右に傾き、しかも、操縦桿を離すと、中立位置に戻る操縦桿に合わせて、操縦席を自動的に追随させることができるため、操縦桿の作動に連動した視界画像と相俟って臨場感を更に味合うことができる。
【図面の簡単な説明】
【００１１】
【図１】図１は、本考案の一実施例のフライトシュミレーション遊戯機の概略的左側面図である。
【図２】図２は、図１の概略的正面図である。
【図３】図３は、図１の概略的平面図である。
【図４】図４は、図１の支持部の概略的平面図である。
【図５】図５は、図１の操縦桿と第１、第２、第３、第４の切り替えスイッチとの関係を示す概略的図である。
【図６】図６は、図４の概略的斜視図である。
【図７】図７は、図６の概略的正面図である。
【図８】図８は、図６の概略的左側面図である。
【図９】図９は、図１のフライトシュミレーション遊戯機の制御装置の左右揺動の配線図である。
【図１０】図１０は、図１のフライトシュミレーション遊戯機の制御装置の前後揺動の配線図である。
【図１１】図１１は、図１の操縦桿の底蓋を外した中立位置にある操縦桿を底側から撮影した写真である。
【図１２】図１２は、図１１の操縦桿を前記操縦桿の軸方向の前方側に移動させた状態を撮影した写真である。
【図１３】図１３は、図１１の操縦桿を前記操縦桿の軸方向の後方側に移動させた状態を撮影した写真である。
【図１４】図１４は、図１１の操縦桿を左側に回動させた状態を撮影した写真である。
【図１５】図１５は、図１１の操縦桿を右側に回動させた状態を撮影した写真である。
【考案を実施するための形態】
【００１２】
本考案の一実施例のフライトシュミレーション遊戯機を図１乃至図１５を参照して説明する。        
【００１３】
図１に示すＦはフライトシュミレーション遊戯機で、フライトシュミレーション遊戯機Ｆは、操縦桿１、操縦席２、コントローラＣを有し、操縦桿１、操縦席２及びコントローラＣの前に位置し、コントローラＣの作動に連動して視界画像を表示する表示体３を備えている。
表示体３に表示される画像は、例えば、市販されている 米国のSaitek製のフライトシミュレータ用コントローラシステム「Pro Flight Yoke System(ヨークシステム)」で得られるもので、中立位置にある操縦桿１も米国のSaitek製のフライトシミュレータ用コントローラシステム「Pro Flight Yoke System(ヨークシステム)」に使用されている操縦桿である。
操縦桿１は、ハンドル１Ａに接続され、操縦席２から見て、前後左右に移動自在に支持された軸１Ｂを有し、また、操縦桿１は、図１１乃至図１５に示すように、バネＳ１、Ｓ２により、操縦桿１の軸１Ｂが中立位置に保持されている。また、図５に示す１Ｃは、軸１Ｂに接続された半割れの筒体である。
１Ｄは、半割れの筒体１Ｃの側面に設けられた第１の側方部材で、１Ｅは、半割れの筒体１Ｃの側面に設けられ、第１の側方部材１Ｄより操縦桿１のハンドル１Ａに近い側に位置する第２の側方部材である。なお、操縦桿１は、公知であるので、詳細な説明は省略する。
【００１４】
図６に示す４は、操作する人が座る操縦席２、操縦席２の前に視界画像を表示する表示体３、中立位置にある操縦桿１を支持する第１の支持部材で、
５は、第１の支持部材４を操縦席２から見て、前後方向に揺動（ゆれ動く）自在に支持する第２の支持部材である。
第２の支持部材５に取り付けられた支持部材５１、５１と第１の支持部材４に取り付けられた支持部材４１、４１とは、ボルト６、６、ナット７、７により、回動自在（回動中心Ｏ２）に取り付けられている。
８は、第２の支持部材５を操縦席２から見て、左右方向に揺動（ゆれ動く）自在に支持すると共に、載置面９に当接する本体である。
本体８に取り付けられた支持部材８１、８１と第２の支持部材５に取り付けられた支持部材５２、５２とは、ボルト９、９、ナット１０、１０により、回動自在（回動中心Ｏ１）に取り付けられている。
なお、後述する第１のシリンダーＭＣ１のロッドＭＣ１１の先端が操縦席２から見て第２の支持部材５の左右方向の回動中心Ｏ１Ｏ１から右に、
第２のシリンダーＭＣ２のロッドＭＣ２１の先端が操縦席２から見て第１の支持部材４の前後方向の回動中心Ｏ２Ｏ２から前に、それぞれ位置している。
【００１５】
また、図６に示すＭＣ１は、本体８と第２の支持部材５に取り付けられ、第１のロッドＭＣ１１を進退させて第２の支持部材５を操縦席２から見て、左右方向に移動させる第１のシリンダーで、ＭＣ１０は、第１のシリンダーＭＣ１の第１のロッドＭＣ１１を進退させる第１の進退手段で、第１の進退手段ＭＣ１０は、例えば、正逆回転可能なモータである。
ＭＣ２は、第２の支持部材５と第１の支持部材４に取り付けられ、第２のロッドＭＣ２１を進退させて第１の支持部材４を操縦席２から見て、前後方向に移動させる第２のシリンダーで、ＭＣ２０は、第２のシリンダーＭＣ２の第２のロッドＭＣ２１を進退させる第２の進退手段で、第２の進退手段ＭＣ２０は、例えば、正逆回転可能なモータである。
【００１６】
図３に示すＳＷ１は、半割れの筒体１Ｃの第１の半割れ端面１Ｃ１に当接する第１のレバーＬ１を有する第１の切り替えスイッチで、ＳＷ２は、半割れの筒体１Ｃの第１の半割れ端面１Ｃ１と反対側の第２の半割れ端面１Ｃ２に当接する第２のレバーＬ２を有する第２の切り替えスイッチで、ＳＷ３は、第１の側方部材１Ｄに当接する第３のレバーＬ３を有する第３の切り替えスイッチで、ＳＷ４は、第２の側方部材１Ｅに当接する第４のレバーＬ４を有する第４の切り替えスイッチである。
また、図６に示すＫ１は、第１の支持部材４が操縦席２から見て、右から左に向かって回動（左側に回動）し、第１の支持部材４が水平位置に達したことを検出する第１の検出スイッチで、第１の検出スイッチＫ１は、本体８に取り付けられた支持部材２００の第１の水平部材Ｈ１に取り付けられ、第１の検出スイッチＫ１が第１の当接部Ｔ１（図２参照）に当接すると、 第１の検出スイッチＫ１のＣ１（図９参照）とＣ２（図９参照）との間が切れるようになっている。第１の当接部Ｔ１は、第２の支持部材５に取り付けられている。Ｄ１は、第１の弾性部材で、第１の検出スイッチＫ１を第１の当接部Ｔ１に向かうように付勢している。
また、Ｋ２は、第１の支持部材４が操縦席２から見て、左から右に向かって回動（右側に回動）し、第１の支持部材４が水平位置に達したことを検出したことを検出する第２の検出スイッチで、第２の検出スイッチＫ２は、本体８に取り付けられた支持部材２００の第１の水平部材Ｈ１に取り付けられ、第２の検出スイッチＫ２が第２の当接部Ｔ２（図２参照）に当接すると、 第２の検出スイッチＫ２のＣ３（図９参照）とＣ４（図９参照）との間が切れるようになっている。第２の当接部Ｔ２は、第２の支持部材５に取り付けられている。Ｄ２は、第２の弾性部材で、第２の検出スイッチＫ２を第２の当接部Ｔ２に向かうように付勢している。
また、Ｋ３は、第１の支持部材４が操縦席２から見て、前から後に向かって回動（後側に回動）し、第１の支持部材４が水平位置に達したことを検出する第３の検出スイッチで、第３の検出スイッチＫ３は、第２の支持部材５に取り付けられた支持部材１００の第２の水平部材Ｈ２に取り付けられ、第３の検出スイッチＫ３が第３の当接部Ｔ３（図６参照）に当接すると、 第３の検出スイッチＫ３のＣ１’（図１０参照）とＣ２’（図１０参照）との間が切れるようになっている。第３の当接部Ｔ３は、第１の支持部材４に取り付けられている。Ｄ３は、第３の弾性部材で、第３の検出スイッチＫ３を第３の当接部Ｔ３に向かうように付勢している。
また、Ｋ４は、第１の支持部材４が操縦席２から見て、後から前に向かって回動（前側に回動）し、第１の支持部材４が水平位置に達したことを検出したことを検出する第４の検出スイッチで、第４の検出スイッチＫ４は、第２の支持部材５に取り付けられた支持部材１００の第２の水平部材Ｈ２に取り付けられ、第４の検出スイッチＫ４が第４の当接部Ｔ４に当接すると、 第４の検出スイッチＫ４のＣ３’とＣ４’との間が切れるようになっている。第４の当接部Ｔ４は、第２の支持部材５に取り付けられている。Ｄ４は、第４の弾性部材で、第４の検出スイッチＫ４を第４の当接部Ｔ４に向かうように付勢している。
【００１７】
また、図８及び図９に示す１００’は制御手段で、制御手段１００’は、操縦桿１を右側に傾けると、操縦桿１の右側への傾きを第１のレバーＬ１が検出して、第１の切り替えスイッチＳＷ１により第１の進退手段ＭＣ１０が第１のシリンダーＭＣ１のロッドＭＣ１１を縮めるように移動させて、第１の支持部材４を操縦席２から見て、右側に傾け、
操縦桿１を離すと、操縦桿１の離れを第１のレバーＬ１が検出して第１の切り替えスイッチＳＷ１により第１の進退手段ＭＣ１０が第１のシリンダーＭＣ１のロッドＭＣ１１を伸びるように移動させて、第１の支持部材４を操縦席２から見て、左側に傾け、第１の支持部材４が水平位置に達したことを第１の検出スイッチＫ１が検出して、第１の進退手段ＭＣ１０により第１のシリンダーＭＣ１のロッドＭＣ１１を停止させ、
操縦桿２を左側に傾けると、操縦桿２の左側への傾きを第２のレバーＬ２が検出して、第２の切り替えスイッチＳＷ２により第１の進退手段ＭＣ１０が第１のシリンダーＭＣ１のロッドＭＣ１１を伸びるように移動させて、第１の支持部材４を操縦席２から見て、左側に傾け、
操縦桿２を離すと、操縦桿２の離れを第２のレバーＬ２が検出して第２の切り替えスイッチＳＷ２により第１の進退手段ＭＣ１０が第１のシリンダーＭＣ１のロッドＭＣ１１を縮めるように移動させて、第１の支持部材４を操縦席２から見て、右側に傾け、第１の支持部材４が水平位置に達したことを第２の検出スイッチＫ２が検出して、第１の進退手段ＭＣ１０により第１のシリンダーＭＣ１のロッドＭＣ１１を停止させ、
操縦桿２を前側に傾けると、操縦桿２の前側への傾きを第３のレバーＬ３が検出して、第３の切り替えスイッチＳＷ３により第２の進退手段ＭＣ２０が第２のシリンダーＭＣ２のロッドＭＣ２１を縮めるように移動させて、第１の支持部材４を操縦席２から見て、前側に傾け、
操縦桿２を離すと、操縦桿２の離れを第２のレバーＬ２が検出して第３の切り替えスイッチＳＷ３により第２の進退手段ＭＣ２０が第２のシリンダーＭＣ２のロッドＭＣ２１を伸びるように移動させて、第１の支持部材４を操縦席２から見て、後側に傾け、第１の支持部材４が水平位置に達したことを第３の検出スイッチＫ３が検出して、第２の進退手段ＭＣ２０により第２のシリンダーＭＣ２のロッドＭＣ２１を停止させ、
操縦桿２を後側に傾けると、操縦桿２の後側への傾きを第４のレバーＬ４が検出して、第４の切り替えスイッチＳＷ４により第２の進退手段ＭＣ２０が第２のシリンダーＭＣ２のロッドＭＣ２１を伸びるように移動させて、第１の支持部材４を操縦席２から見て、後側に傾け、
操縦桿２離すと、操縦桿２の離れを第４のレバーＬ４が検出して第４の切り替えスイッチＳＷ４により第２の進退手段ＭＣ２０が第２のシリンダーＭＣ２のロッドＭＣ２１を縮めるように移動させて、第１の支持部材４を操縦席２から見て、前側に傾け、第１の支持部材４が水平位置に達したことを第４の検出スイッチＫ４が検出して、第２の進退手段ＭＣ２０により第２のシリンダーＭＣ２のロッドＭＣ２１を停止させるように作動させるものである。
【００１８】
制御手段１００’を具体的に図９及び図１０を参照して詳述すれば、操縦桿１を右側に傾けると、操縦桿１の右側への傾きを第１のレバーＬ１が検出して、第１の切り替えスイッチＳＷ１内の部材ＡがＡ１Ａ２からＢ１Ｂ２に移動し、バッテリーＶ１０（例えば、１２ボルト）の端子Ｖ１、Ｘ、Ｂ１、Ｂ２、Ｍ１、Ｍ４、バッテリーＶ１０（例えば、１２ボルト）の端子Ｖ２の回路が構成され、電流が流れる。
つまり、第１の切り替えスイッチＳＷ１により第１の進退手段ＭＣ１０（Ｍ１→Ｍ４）が第１のシリンダーＭＣ１のロッドＭＣ１１を縮めるように移動させて、第１の支持部材４を操縦席２から見て、右側に傾ける。
操縦桿１を離すと、操縦桿１の軸１Ｂは中立位置（図１１の状態）に戻ると共に、操縦桿１の離れを第１のレバーＬ１が検出して、第１の切り替えスイッチＳＷ１内の部材ＡがＢ１Ｂ２からＡ１Ａ２に移動し、バッテリーＶ３０（例えば、１２ボルト）の端子Ｖ３、Ｙ（Ｙからの電流は、第２の切り替えスイッチＳＷ２内の部材ＢがＡ３Ａ４の側にあるため、第２の切り替えスイッチＳＷ２の方へ流れない。）、Ａ１、Ａ２、Ｃ２、Ｃ１、Ｍ３、Ｍ２、バッテリーＶ３０（例えば、１２ボルト）の端子Ｖ４の回路（以下「Ａ回路」という。）が構成され、電流が流れる。
つまり、第１の切り替えスイッチＳＷ１により第１の進退手段ＭＣ１０（Ｍ１→Ｍ４と逆方向のＭ３→Ｍ２へと流れる。）が第１のシリンダーＭＣ１のロッドＭＣ１１を伸びるように移動させて、第１の支持部材４を操縦席２から見て、左側に傾け、第１の支持部材４が水平位置に達したことを第１の検出スイッチＫ１が検出して、Ａ回路のＣ２とＣ１の間が切れるため、第１の進退手段ＭＣ１０により第１のシリンダーＭＣ１のロッドＭＣ１１を停止させる。
【００１９】
また、操縦桿１を左側に傾けると、操縦桿１の左側への傾きを第２のレバーＬ２が検出して、第２の切り替えスイッチＳＷ２内の部材ＢがＡ３Ａ４からＢ３Ｂ４に移動し、バッテリーＶ３０（例えば、１２ボルト）の端子Ｖ３、Ｙ、Ｂ４、Ｂ３、Ｍ３、Ｍ２、バッテリーＶ３０（例えば、１２ボルト）の端子Ｖ４の回路が構成され、電流が流れる。
つまり、第２の切り替えスイッチＳＷ２により第１の進退手段ＭＣ１０（Ｍ３→Ｍ２）が第１のシリンダーＭＣ１のロッドＭＣ１１を伸びるように移動させて、第１の支持部材４を操縦席２から見て、左側に傾ける。
操縦桿１を離すと、操縦桿１の軸１Ｂは中立位置（図１１の状態）に戻ると共に、操縦桿１の離れを第２のレバーＬ２が検出して、第２の切り替えスイッチＳＷ２内の部材ＢがＢ３Ｂ４からＡ３Ａ４に移動し、バッテリーＶ１０（例えば、１２ボルト）の端子Ｖ１、Ｘ（Ｘからの電流は、第１の切り替えスイッチＳＷ１内の部材ＡがＡ１Ａ２の側にあるため、第１の切り替えスイッチＳＷ１の方へ流れない。）、Ａ３、Ａ４、Ｃ３、Ｃ４、Ｍ１、Ｍ４、バッテリーＶ１０（例えば、１２ボルト）の端子Ｖ２の回路（以下「Ｂ回路」という。）が構成され、電流が流れる。
つまり、第２の切り替えスイッチＳＷ２により第１の進退手段ＭＣ１０（Ｍ３→Ｍ２と逆方向のＭ１→Ｍ４へと流れる。）が第１のシリンダーＭＣ１のロッドＭＣ１１を縮めるように移動させて、第１の支持部材４を操縦席２から見て、右側に傾け、第１の支持部材４が水平位置に達したことを第２の検出スイッチＫ２が検出して、Ｂ回路のＣ３とＣ４の間が切れるため、第１の進退手段ＭＣ１０により第１のシリンダーＭＣ１のロッドＭＣ１１を停止させる。
【００２０】
また、操縦桿１を前側に傾けると、操縦桿１の前側への傾きを第３のレバーＬ３が検出して、第３の切り替えスイッチＳＷ３内の部材Ａ’がＡ１’Ａ２’からＢ１’Ｂ２’に移動し、バッテリーＶ１０’（例えば、１２ボルト）の端子Ｖ１’、Ｘ’、Ｂ１’、Ｂ２’、Ｍ１’、Ｍ４’、バッテリーＶ１０’（例えば、１２ボルト）の端子Ｖ２’の回路が構成され、電流が流れる。
つまり、第３の切り替えスイッチＳＷ３により第２の進退手段ＭＣ２０（Ｍ１’→Ｍ４’）が第２のシリンダーＭＣ２のロッドＭＣ２１を縮めるように移動させて、第１の支持部材４を操縦席２から見て、前側に傾ける。
操縦桿１を離すと、操縦桿１の軸１Ｂは中立位置（図１１の状態）に戻ると共に、操縦桿１の離れを第３のレバーＬ３が検出して、第３の切り替えスイッチＳＷ３内の部材Ａ’がＢ１’Ｂ２’からＡ１’Ａ２’に移動し、バッテリーＶ３０’（例えば、１２ボルト）の端子Ｖ３’、Ｙ’（Ｙ’からの電流は、第４の切り替えスイッチＳＷ４内の部材Ｂ’がＡ３’Ａ４’の側にあるため、第４の切り替えスイッチＳＷ４の方へ流れない。）、Ａ１’、Ａ２’、Ｃ２’、Ｃ１’、Ｍ３’、Ｍ２’、バッテリーＶ３０’（例えば、１２ボルト）の端子Ｖ４’の回路（以下「Ａ’回路」という。）が構成され、電流が流れる。
つまり、第３の切り替えスイッチＳＷ３により第２の進退手段ＭＣ２０（Ｍ１’→Ｍ４’と逆方向のＭ３’→Ｍ２’へと流れる。）が第２のシリンダーＭＣ２のロッドＭＣ２１を伸びるように移動させて、第１の支持部材４を操縦席２から見て、後側に傾け、第１の支持部材４が水平位置に達したことを第３の検出スイッチＫ３が検出して、Ａ’回路のＣ２’とＣ１’の間が切れるため、第２の進退手段ＭＣ２０により第２のシリンダーＭＣ２のロッドＭＣ２１を停止させる。
【００２１】
また、操縦桿１を後側に傾けると、操縦桿１の後側への傾きを第４のレバーＬ４が検出して、第４の切り替えスイッチＳＷ４内の部材Ｂ’がＡ３’Ａ４’からＢ３’Ｂ４’に移動し、バッテリーＶ３０’（例えば、１２ボルト）の端子Ｖ３’、Ｙ’、Ｂ４’、Ｂ３’、Ｍ３’、Ｍ２’、バッテリーＶ３０’（例えば、１２ボルト）の端子Ｖ４’の回路が構成され、電流が流れる。
つまり、第４の切り替えスイッチＳＷ４により第２の進退手段ＭＣ２０（Ｍ３’→Ｍ２’）が第２のシリンダーＭＣ２のロッドＭＣ２１を伸びるように移動させて、第１の支持部材４を操縦席２から見て、後側に傾ける。
操縦桿１を離すと、操縦桿１の軸１Ｂは中立位置（図１１の状態）に戻ると共に、操縦桿１の離れを第４のレバーＬ４が検出して、第４の切り替えスイッチＳＷ４内の部材Ｂ’がＢ３’Ｂ４’からＡ３’Ａ４’に移動し、バッテリーＶ１０’（例えば、１２ボルト）の端子Ｖ１’、Ｘ’（Ｘ’からの電流は、第３の切り替えスイッチＳＷ３内の部材Ａ’がＡ１’Ａ２’の側にあるため、第３の切り替えスイッチＳＷ３の方へ流れない。）、Ａ３’、Ａ４’、Ｃ３’、Ｃ４’、Ｍ１’、Ｍ４’、バッテリーＶ１０’（例えば、１２ボルト）の端子Ｖ２’の回路（以下「Ｂ’回路」という。）が構成され、電流が流れる。
つまり、第４の切り替えスイッチＳＷ４により第２の進退手段ＭＣ２０（Ｍ３’→Ｍ２’と逆方向のＭ１’→Ｍ４’へと流れる。）が第２のシリンダーＭＣ２のロッドＭＣ２１を縮めるように移動させて、第１の支持部材４を操縦席２から見て、前側に傾け、第１の支持部材４が水平位置に達したことを第４の検出スイッチＫ４が検出して、Ｂ’回路のＣ３’とＣ４’の間が切れるため、第２の進退手段ＭＣ２０により第２のシリンダーＭＣ２のロッドＭＣ２１を停止させる。
【符号の説明】
【００２２】
Ｆ      フライトシュミレーション遊戯機
１      操縦桿
１Ｃ     半割れの筒体
１Ｃ１   第１の半割れ端面
１Ｃ２   第２の半割れ端面
１Ｄ     第１の側方部材
１Ｅ     第２の側方部材
４       第１の支持部材
５       第２の支持部材
８       本体
ＳＷ１  第１の切り替えスイッチ
ＳＷ２  第２の切り替えスイッチ
ＳＷ３  第３の切り替えスイッチ
ＳＷ４  第４の切り替えスイッチ
Ｌ１    第１のレバー
Ｌ２    第２のレバー
Ｌ３    第３のレバー
Ｌ４    第４のレバー
１００’  制御手段
【図１】
0003225574.tif 000003
【図２】
0003225574.tif 000004
【図３】
0003225574.tif 000005
【図４】
0003225574.tif 000006
【図５】
0003225574.tif 000007
【図６】
0003225574.tif 000008
【図７】
0003225574.tif 000009
【図８】
0003225574.tif 000010
【図９】
0003225574.tif 000011
【図１０】
0003225574.tif 000012
【図１１】
0003225574.tif 000013
【図１２】
0003225574.tif 000014
【図１３】
0003225574.tif 000015
【図１４】
0003225574.tif 000016
【図１５】
0003225574.tif 000017
【手続補正書】
【提出日】令和1年12月25日(2019.12.25)
【手続補正１】
【補正対象書類名】実用新案登録請求の範囲
【補正対象項目名】請求項２
【補正方法】変更
【補正の内容】
【請求項２】
操縦桿、操縦席、コントローラを有し、前記操縦桿、前記操縦席及び前記コントロ
ーラの前に位置し、前記コントローラの作動に連動して視界画像を表示する表示体を備え
たフライトシュミレーション遊戯機であって、
操作する人が座る前記操縦席、前記操縦席の前に前記視界画像を表示する前記表示体
、中立位置にある前記操縦桿を支持する第１の支持部材と、
この第１の支持部材を前記操縦席から見て、前後方向に揺動自在に支持する第２の
支持部材と、
この第２の支持部材を前記操縦席から見て、左右方向に揺動自在に支持すると共に
、載置面に当接する本体と、
前記本体と前記第２の支持部材に取り付けられ、第１のロッドを進退させて前記第２
の支持部材を前記操縦席から見て、左右方向に移動させる第１のシリンダーと、
この第１のシリンダーの前記第１のロッドを進退させる第１の進退手段と、
前記第２の支持部材と前記第１の支持部材に取り付けられ、第２のロッドを進退させ
て前記第１の支持部材を前記操縦席から見て、前後方向に移動させる第２のシリンダーと
、
この第２のシリンダーの前記第２のロッドを進退させる第２の進退手段と、
ハンドルに接続され、前記操縦席から見て、前後左右に移動自在に支持された軸を有
する前記操縦桿と、                 
前記軸に接続された半割れの筒体と、
この半割れの筒体の第１の半割れ端面に当接する第１のレバーを有する第１の切り替
えスイッチと、
前記半割れの筒体の前記第１の半割れ端面と反対側の第２の半割れ端面に当接する第
２のレバーを有する第２の切り替えスイッチと、
前記半割れの筒体の側面に設けられた第１の側方部材と、
前記半割れの筒体の側面に設けられ、前記第１の側方部材より前記操縦桿のハンドル
に近い側に位置する第２の側方部材と、
前記第１の側方部材に当接する第３のレバーを有する第３の切り替えスイッチと、
前記第２の側方部材に当接する第４のレバーを有する第４の切り替えスイッチと、
前記第１の支持部材が前記操縦席から見て、右から左に回動し、前記第１の支持部材
が水平位置に達したことを検出する第１の検出スイッチと、
前記第１の支持部材が前記操縦席から見て、左から右に回動し、前記第１の支持部
材が水平位置に達したことを検出する第２の検出スイッチと、
前記第１の支持部材が前記操縦席から見て、前から後に回動し、前記第１の支持部材
が水平位置に達したことを検出する第３の検出スイッチと、
前記第１の支持部材が前記操縦席から見て、後から前に回動し、前記第１の支持部
材が水平位置に達したことを検出する第４検出スイッチと、
前記操縦桿を右側に傾けると、前記操縦桿の右側への傾きを前記第１のレバーが検出
して、前記第１の切り替えスイッチにより前記第１の進退手段が前記第１のシリンダーの
ロッドを縮めるように移動させて、前記第１の支持部材を前記操縦席から見て、右側に傾
け、前記操縦桿を離すと、前記操縦桿の離れを前記第１のレバーが検出して前記第１の切
り替えスイッチにより前記第１の進退手段が前記第１のシリンダーのロッドを伸びるよう
に移動させて、前記第１の支持部材を前記操縦席から見て、左側に傾け、前記第１の支持
部材が水平位置に達したことを前記第１の検出スイッチが検出して、前記第１の進退手段
により前記第１のシリンダーのロッドを停止させ、前記操縦桿を左側に傾けると、前記操
縦桿の左側への傾きを前記第２のレバーが検出して、前記第２の切り替えスイッチにより
前記第１の進退手段が前記第１のシリンダーのロッドを伸びるように移動させて、前記第
１の支持部材を前記操縦席から見て、左側に傾け、前記操縦桿を離すと、前記操縦桿の離
れを前記第２のレバーが検出して前記第２の切り替えスイッチにより前記第１の進退手段
が前記第１のシリンダーのロッドを縮めるように移動させて、前記第１の支持部材を前記
操縦席から見て、右側に傾け、前記第１の支持部材が水平位置に達したことを前記第２の
検出スイッチが検出して、前記第１の進退手段により前記第１のシリンダーのロッドを停
止させ、前記操縦桿を前側に傾けると、前記操縦桿の前側への傾きを前記第３のレバーが
検出して、前記第３の切り替えスイッチにより前記第２の進退手段が前記第２のシリンダ
ーのロッドを縮めるように移動させて、前記第１の支持部材を前記操縦席から見て、前側
に傾け、前記操縦桿を離すと、前記操縦桿の離れを前記第３のレバーが検出して前記第３
の切り替えスイッチにより前記第２の進退手段が前記第２のシリンダーのロッドを伸びる
ように移動させて、前記第１の支持部材を前記操縦席から見て、後側に傾け、前記第１の
支持部材が水平位置に達したことを前記第３の検出スイッチが検出して、前記第２の進退
手段により前記第２のシリンダーのロッドを停止させ、前記操縦桿を後側に傾けると、前
記操縦桿の後側への傾きを前記第４のレバーが検出して、前記第４の切り替えスイッチに
より前記第２の進退手段が前記第２のシリンダーのロッドを伸びるように移動させて、前
記第１の支持部材を前記操縦席から見て、後側に傾け、前記操縦桿を離すと、前記操縦桿
の離れを前記第４のレバーが検出して前記第４の切り替えスイッチにより前記第２の進退
手段が前記第２のシリンダーのロッドを縮めるように移動させて、前記第１の支持部材を
前記操縦席から見て、前側に傾け、前記第１の支持部材が水平位置に達したことを前記第
４の検出スイッチが検出して、前記第２の進退手段により前記第２のシリンダーのロッド
を停止させるように作動させる制御手段とを備え、
前記第１の切り替えスイッチは、前記操縦席から見て、前記半割れの筒体の左に、前
記第２の切り替えスイッチは、前記操縦席から見て、前記半割れの筒体の右に、前記第４
の切り替えスイッチは、前記第３の切り替えスイッチより前記操縦席に近い側に、それぞ
れ位置している
ことを特徴とするフライトシュミレーション遊戯機。
【手続補正２】
【補正対象書類名】明細書
【補正対象項目名】０００７
【補正方法】変更
【補正の内容】
【０００７】
また、請求項２記載のフライトシュミレーション遊戯機は、操縦桿、操縦席、コントローラを有し、前記操縦桿、前記操縦席及び前記コントローラの前に位置し、前記コントローラの作動に連動して視界画像を表示する表示体を備えたフライトシュミレーション遊戯機であって、操作する人が座る前記操縦席、前記操縦席の前に前記視界画像を表示する前記表示体、中立位置にある前記操縦桿を支持する第１の支持部材と、この第１の支持部材を前記操縦席から見て、前後方向に揺動自在に支持する第２の支持部材と、この第２の支持部材を前記操縦席から見て、左右方向に揺動自在に支持すると共に、載置面に当接する本体と、前記本体と前記第２の支持部材に取り付けられ、第１のロッドを進退させて前記第２の支持部材を前記操縦席から見て、左右方向に移動させる第１のシリンダーと、この第１のシリンダーの前記第１のロッドを進退させる第１の進退手段と、前記第２の支持部材と前記第１の支持部材に取り付けられ、第２のロッドを進退させて前記第１の支持部材を前記操縦席から見て、前後方向に移動させる第２のシリンダーと、この第２のシリンダーの前記第２のロッドを進退させる第２の進退手段と、ハンドルに接続され、前記操縦席から見て、前後左右に移動自在に支持された軸を有する前記操縦桿と、前記軸に接続された半割れの筒体と、この半割れの筒体の第１の半割れ端面に当接する第１のレバーを有する第１の切り替えスイッチと、前記半割れの筒体の前記第１の半割れ端面と反対側の第２の半割れ端面に当接する第２のレバーを有する第２の切り替えスイッチと、前記半割れの筒体の側面に設けられた第１の側方部材と、前記半割れの筒体の側面に設けられ、前記第１の側方部材より前記操縦桿のハンドルに近い側に位置する第２の側方部材と、前記第１の側方部材に当接する第３のレバーを有する第３の切り替えスイッチと、前記第２の側方部材に当接する第４のレバーを有する第４の切り替えスイッチと、前記第１の支持部材が前記操縦席から見て、右から左に回動し、前記第１の支持部材が水平位置に達したことを検出する第１の検出スイッチと、前記第１の支持部材が前記操縦席から見て、左から右に回動し、前記第１の支持部材が水平位置に達したことを検出する第２の検出スイッチと、前記第１の支持部材が前記操縦席から見て、前から後に回動し、前記第１の支持部材
が水平位置に達したことを検出する第３の検出スイッチと、前記第１の支持部材が前記操縦席から見て、後から前に回動し、前記第１の支持部材が水平位置に達したことを検出する第４検出スイッチと、前記操縦桿を右側に傾けると、前記操縦桿の右側への傾きを前記第１のレバーが検出して、前記第１の切り替えスイッチにより前記第１の進退手段が前記第１のシリンダーのロッドを縮めるように移動させて、前記第１の支持部材を前記操縦席から見て、右側に傾け、前記操縦桿を離すと、前記操縦桿の離れを前記第１のレバーが検出して前記第１の切り替えスイッチにより前記第１の進退手段が前記第１のシリンダーのロッドを伸びるように移動させて、前記第１の支持部材を前記操縦席から見て、左側に傾け、前記第１の支持部材が水平位置に達したことを前記第１の検出スイッチが検出して、前記第１の進退手段により前記第１のシリンダーのロッドを停止させ、前記操縦桿を左側に傾けると、前記操縦桿の左側への傾きを前記第２のレバーが検出して、前記第２の切り替えスイッチにより前記第１の進退手段が前記第１のシリンダーのロッドを伸びるように移動させて、前記第１の支持部材を前記操縦席から見て、左側に傾け、前記操縦桿を離すと、前記操縦桿の離れを前記第２のレバーが検出して前記第２の切り替えスイッチにより前記第１の進退手段が前記第１のシリンダーのロッドを縮めるように移動させて、前記第１の支持部材を前記操縦席から見て、右側に傾け、前記第１の支持部材が水平位置に達したことを前記第２の検出スイッチが検出して、前記第１の進退手段により前記第１のシリンダーのロッドを停止させ、前記操縦桿を前側に傾けると、前記操縦桿の前側への傾きを前記第３のレバーが検出して、前記第３の切り替えスイッチにより前記第２の進退手段が前記第２のシリンダーのロッドを縮めるように移動させて、前記第１の支持部材を前記操縦席から見て、前側に傾け、前記操縦桿を離すと、前記操縦桿の離れを前記第３のレバーが検出して前記第３の切り替えスイッチにより前記第２の進退手段が前記第２のシリンダーのロッドを伸びるように移動させて、前記第１の支持部材を前記操縦席から見て、後側に傾け、前記第１の支持部材が水平位置に達したことを前記第３の検出スイッチが検出して、前記第２の進退手段により前記第２のシリンダーのロッドを停止させ、前記操縦桿を後側に傾けると、前記操縦桿の後側への傾きを前記第４のレバーが検出して、前記第４の切り替えスイッチにより前記第２の進退手段が前記第２のシリンダーのロッドを伸びるように移動させて、前記第１の支持部材を前記操縦席から見て、後側に傾け、前記操縦桿を離すと、前記操縦桿の離れを前記第４のレバーが検出して前記第４の切り替えスイッチにより前記第２の進退手段が前記第２のシリンダーのロッドを縮めるように移動させて、前記第１の支持部材を前記操縦席から見て、前側に傾け、前記第１の支持部材が水平位置に達したことを前記第４の検出スイッチが検出して、前記第２の進退手段により前記第２のシリンダーのロッドを停止させるように作動させる制御手段とを備え、前記第１の切り替えスイッチは、前記操縦席から見て、前記半割れの筒体の左に、前記第２の切り替えスイッチは、前記操縦席から見て、前記半割れの筒体の右に、前記第４の切り替えスイッチは、前記第３の切り替えスイッチより前記操縦席に近い側に、それぞれ位置しているものである。